(57)【要約】【課題】良好な消臭性を有しつつ、有効成分の溶け残り及び跡残りを抑制することができる消臭剤を提供する。【解決手段】消臭剤は、酸化亜鉛と、グリシンと、トレオニン類と、水性溶剤と、を含有する。トレオニン類は、トレオニン及びトレオニン誘導体からなる群より選ばれた少なくとも１種を含む。【選択図】なし【特許請求の範囲】
【請求項１】
酸化亜鉛と、グリシンと、トレオニン類と、水性溶剤と、を含有し、
前記トレオニン類は、トレオニン及びトレオニン誘導体からなる群より選ばれた少なくとも１種を含む、
消臭剤。
【請求項２】
前記グリシンと前記トレオニン類との質量比が１：２〜２：１の範囲内である、
請求項１に記載の消臭剤。
【請求項３】
前記酸化亜鉛と前記トレオニン類との質量比が１：１．５〜１：４の範囲内である、
請求項１又は２に記載の消臭剤。
【請求項４】
両性界面活性剤を更に含有する、
請求項１〜３のいずれか１項に記載の消臭剤。
【請求項５】
前記消臭剤の全質量に対して、前記両性界面活性剤の含有量が０．０８質量％を超えて２２質量％未満の範囲内である、
請求項４に記載の消臭剤。
【発明の詳細な説明】
【技術分野】
【０００１】
本開示は、一般に消臭剤に関し、より詳細には酸化亜鉛を含有する消臭剤に関する。
【背景技術】
【０００２】
特許文献１は、抗菌性消臭剤を開示している。この抗菌性消臭剤は、亜鉛化合物と、アミノ酸とを有効成分とする。ここで、亜鉛化合物は、炭酸亜鉛及び酸化亜鉛から選ばれる少なくとも１種である。一方、アミノ酸は、グリシン、アラニン、フェニルアラニン、グルタミン酸塩及びサルコシンの群から選ばれる少なくとも１種である。そして、亜鉛化合物とアミノ酸の併用割合が重量比で１：２〜１：５０の範囲にある。
【先行技術文献】
【特許文献】
【０００３】
【特許文献１】特開２００６−０２６１５６号公報（段落［００３２］）
【発明の概要】
【発明が解決しようとする課題】
【０００４】
特許文献１の抗菌性消臭剤は、水性溶液の形態として、繊維製品に噴霧して使用されることがあるが、この場合には跡残りが発生するおそれがある。跡残りとは、繊維製品などに付着した消臭剤が乾燥した後、目視で確認できる程度に消臭剤の跡が残ることをいう。このように、特許文献１の抗菌性消臭剤は、たとえ消臭効果が良好で、水性溶液の形態で有効成分の溶け残りがなかったとしても、跡残りが発生するおそれがあるので、更なる改良の余地がある。
【０００５】
本開示の目的は、良好な消臭性を有しつつ、有効成分の溶け残り及び跡残りを抑制することができる消臭剤を提供することにある。
【課題を解決するための手段】
【０００６】
本開示の一態様に係る消臭剤は、酸化亜鉛と、グリシンと、トレオニン類と、水性溶剤と、を含有する。前記トレオニン類は、トレオニン及びトレオニン誘導体からなる群より選ばれた少なくとも１種を含む。
【発明の効果】
【０００７】
本開示によれば、良好な消臭性を有しつつ、有効成分の溶け残り及び跡残りを抑制することができる。
【発明を実施するための形態】
【０００８】
１．概要
本実施形態に係る消臭剤は、酸化亜鉛と、グリシンと、トレオニン類と、水性溶剤と、を含有する。消臭剤の有効成分は、酸化亜鉛、グリシン及びトレオニン類である。トレオニン類は、トレオニン及びトレオニン誘導体からなる群より選ばれた少なくとも１種を含む。消臭剤は、水性溶液の形態である。
【０００９】
消臭剤の有効成分が酸化亜鉛及びグリシンである場合には、良好な消臭性を有し、有効成分の溶け残りを抑制することができる。ここで、トレオニン類を有効成分として追加すると、良好な消臭性及び溶解性を維持しつつ、跡残りを抑制することができる。
【００１０】
すなわち、本実施形態に係る消臭剤は、良好な消臭性を有しつつ、有効成分の溶け残り及び跡残りを抑制することができる。
【００１１】
２．詳細
消臭剤は、酸化亜鉛と、グリシンと、トレオニン類と、水性溶剤と、を含有する。消臭剤の有効成分は、酸化亜鉛、グリシン及びトレオニン類である。これらの有効成分によって、硫化水素及びメチルメルカプタン等の硫黄系化合物、アンモニア及びアミン類等の窒素系化合物、酢酸、イソ吉草酸及びカプロン酸等の低級脂肪酸、並びに、ホルムアルデヒド及びアセトアルデヒド等のアルデヒド類の悪臭ガスを除去することができる。すなわち、これらの悪臭ガスに対して、消臭剤は、良好な消臭性を有する。
【００１２】
消臭剤は、水性溶液の形態である。特に断らない限り、以下では、消臭剤と言えば、原液を意味する。グリシン及びトレオニン類は、水性溶剤（特に水）に対して易溶性である。酸化亜鉛は、水性溶剤に対して難溶性であるが、グリシン及びトレオニン類が共存することで、酸化亜鉛の溶解性が向上する。すなわち、消臭剤の有効成分の溶け残りを抑制することができる。
【００１３】
トレオニン類は、トレオニン及びトレオニン誘導体からなる群より選ばれた少なくとも１種を含む。ここで、トレオニン誘導体は、トレオニンの分子内の小部分の変化によって生成される化合物を意味する。トレオニン誘導体には、トレオニンの分子内の水素原子が他の原子又は原子団で置換された置換体も含まれる。トレオニン誘導体の具体例として、Ｌ−トレオニン（Ｌ−トレオニン：プロテインケミカル株式会社）、ＤＬ−アロトレオニン、Ｄ−アロトレオニン、Ｌ−アロトレオニン、Ｎ−（ｔｅｒｔ−ブトキシカルボニル）−Ｄ−トレオニンメチル、Ｎ−［（９Ｈ−フルオレン−９−イルメトキシ）カルボニル］−Ｏ−ｔｅｒｔ−ブチル−Ｄ−トレオニン及びグリシル−Ｌ−トレオニンが挙げられる。トレオニン類は、消臭剤の跡残りの抑制に有効である。すなわち、消臭剤を繊維製品などに付着させて乾燥させた後に、消臭剤の付着箇所を観察しても、その跡を目視で確認することは難しい。なお、消臭剤の付着対象物は、繊維製品に限定されない。
【００１４】
グリシンとトレオニン類との質量比は、好ましくは１：２〜２：１の範囲内であり、より好ましくは１．２５：１〜１：１．１２の範囲内である。言い換えると、グリシン／トレオニン類の質量比の値は、好ましくは０．５以上２以下の範囲内であり、より好ましくは０．８９以上１．２５以下の範囲内である。グリシン／トレオニン類の質量比の値が０．５以上であることで、グリシンが少なくなり過ぎず、有効成分の溶解性を更に向上させることができる。グリシン／トレオニン類の質量比の値が２以下であることで、グリシンが多くなり過ぎず、消臭剤の跡残りを更に抑制することができる。すなわち、グリシンとトレオニン類との質量比が上記の範囲内であることで、有効成分の溶け残り及び跡残りを更に抑制することができる。
【００１５】
酸化亜鉛とトレオニン類との質量比は、好ましくは１：１．５〜１：４の範囲内であり、より好ましくは１：１．５〜１：３の範囲内である。言い換えると、酸化亜鉛／トレオニン類の質量比の値は、好ましくは０．２５以上０．６７以下の範囲内であり、より好ましくは０．３３以上０．６７以下の範囲内である。酸化亜鉛／トレオニン類の質量比の値が０．２５以上であることで、酸化亜鉛が少なくなり過ぎず、酸化亜鉛による消臭効果の低減を抑制することができる。酸化亜鉛／トレオニン類の質量比の値が０．６７以下であることで、酸化亜鉛が多くなり過ぎず、有効成分の溶解性を更に向上させることができる。すなわち、酸化亜鉛とトレオニン類との質量比が上記の範囲内であることで、酸化亜鉛による消臭効果の低減を抑制することができ、さらに有効成分の溶け残りを更に抑制することができる。
【００１６】
水性溶剤の具体例として、水、及び、水とアルコールとの混合溶媒が挙げられる。水には、水道水及び精製水が含まれる。精製水には、イオン交換水、蒸留水、純水、超純水及びＲＯ膜水が含まれる。アルコールには、エタノール、メタノール及びイソプロピルアルコールが含まれる。
【００１７】
有効成分の含有量（つまり、酸化亜鉛、グリシン及びトレオニン類の合計含有量）は、消臭剤（この場合は原液）の全質量に対して、好ましくは２．５質量％以上８．５質量％以下の範囲内であり、より好ましくは４．０質量％以上７．０質量％以下の範囲内であることが好ましい。消臭剤の原液は、そのまま使用してもよいが、２５０倍まで水性溶剤で希釈して使用してもよい。消臭剤の原液を２５０倍に希釈した場合、有効成分の好ましい含有量の下限値は０．０１０質量％となり、有効成分のより好ましい含有量の下限値は０．０１６質量％となる。希釈してもなお消臭効果があり、有効成分の溶け残り及び跡残りは更に抑制される。
【００１８】
消臭剤は、両性界面活性剤を更に含有することが好ましい。両性界面活性剤の具体例として、ラウリルベタイン（レボンＬＤ−３６：三洋化成工業株式会社）、ラウラミドプロピルベタイン、ミリスタミドプロピルベタイン、ココアンホ酢酸ナトリウム、ラウロアンホ酢酸ナトリウム、ラウラミドプロピオン酸ナトリウム、コカミドプロピオン酸ナトリウム、ステアリルベタイン、２−アルキル−Ｎ−カルボキシメチル−Ｎ−ヒドロキシエテルイミダゾリウムベタイン、βアルキルアミノプロピオン酸ナトリウム、２−アルキル−Ｎ−カルボキシメチル−Ｎ−ヒドロキシエチルイミダゾリニウムベタイン、２−アルキル−Ｎ−カルボキシメチル−Ｎ−ヒドロキシエチルイミダゾリニウムベタイン、ラウリルアミノジプロピオン酸ナトリウム、パーム核脂肪酸アミドプロピルベタイン及びラウラミドプロピルヒドロキシスルタインが挙げられる。このような両性界面活性剤を消臭剤が更に含有することで、有効成分の溶け残りを更に抑制することができる。
【００１９】
消臭剤が両性界面活性剤を更に含有する場合には、両性界面活性剤の含有量は、消臭剤（この場合は原液）の全質量に対して、好ましくは０．０８質量％を超えて２２質量％未満の範囲内であり、より好ましくは０．１質量％以上１９質量％以下の範囲内である。両性界面活性剤の含有量が０．０８質量％を超えていることで、有効成分の溶け残りを更に抑制し、消臭剤の透明性を確保することができる。両性界面活性剤の含有量が２２質量％未満であることで、消臭剤の跡残りを更に抑制することができる。すなわち、両性界面活性剤の含有量が上記の範囲内であることで、消臭剤の透明性を確保しつつ、跡残りを更に抑制することができる。
【００２０】
消臭剤は、酸化亜鉛、グリシン、トレオニン類及び水性溶剤を配合し、必要に応じて両性界面活性剤を更に配合し、この配合物を撹拌することによって調製することができる。
【００２１】
消臭剤は、スプレー容器に入れて、霧状に噴射させて使用することができる。また、消臭剤及び噴射剤（液化ガス又は圧縮ガス）をスプレー容器に入れて、エアゾール状に噴射させて使用してもよい。消臭剤は、臭気の気になる対象物に吹き付けるなどして使用することができる。対象物の具体例として、繊維製品が挙げられるが、特に限定されない。
【００２２】
３．まとめ
以上説明したように、第１の態様に係る消臭剤は、酸化亜鉛と、グリシンと、トレオニン類と、水性溶剤と、を含有する。前記トレオニン類は、トレオニン及びトレオニン誘導体からなる群より選ばれた少なくとも１種を含む。
【００２３】
この態様によれば、良好な消臭性を有しつつ、有効成分の溶け残り及び跡残りを抑制することができる。
【００２４】
第２の態様に係る消臭剤は、第１の態様において、前記グリシンと前記トレオニン類との質量比が１：２〜２：１の範囲内である。
【００２５】
この態様によれば、有効成分の溶け残り及び跡残りを更に抑制することができる。
【００２６】
第３の態様に係る消臭剤は、第１又は２の態様において、前記酸化亜鉛と前記トレオニン類との質量比が１：１．５〜１：４の範囲内である。
【００２７】
この態様によれば、酸化亜鉛による消臭効果の低減を抑制することができ、さらに有効成分の溶け残りを更に抑制することができる。
【００２８】
第４の態様に係る消臭剤は、第１〜３のいずれかの態様において、両性界面活性剤を更に含有する。
【００２９】
この態様によれば、有効成分の溶け残りを更に抑制することができる。
【００３０】
第５の態様に係る消臭剤は、第４の態様において、前記消臭剤の全質量に対して、前記両性界面活性剤の含有量が０．０８質量％を超えて２２質量％未満の範囲内である。
【００３１】
この態様によれば、消臭剤の透明性を確保しつつ、跡残りを更に抑制することができる。
【実施例】
【００３２】
以下、本開示を実施例によって具体的に説明するが、本開示は実施例に限定されない。
【００３３】
１．実験１
（１）消臭剤の調製
表１に示す割合で、酸化亜鉛、グリシン、トレオニン類（トレオニン）及び水性溶剤（イオン交換水）をガラス瓶に入れて配合し、この配合物を３０分間撹拌することによって、各実施例及び比較例の消臭剤（原液）を調製した。
【００３４】
（２）試験
（２．１）溶け残り
３０分間撹拌した後のガラス瓶中の消臭剤を観察した。この観察結果に基づいて、以下の基準で、溶け残りを評価した。
【００３５】
Ａ：沈澱物及び浮遊物がない
Ｂ：瓶底に沈殿物が見える
Ｃ：瓶底に沈殿物が積層している
なお、「Ａ−Ｂ」などの記載は、ＡとＢとの中間の評価という意味であり、以下も同様である。
【００３６】
（２．２）消臭性
消臭剤をイオン交換水で２０倍に希釈して、消臭剤水溶液（５質量％）を調製した。５ｍＬの消臭剤水溶液をマイクロピペットでフラスコ内に注入した。さらにこのフラスコ内に１００ｐｐｍ／Ｌとなるように硫化水素ガスをシリンジで注入し、フラスコに栓をして５分間静置した。その後、ガス検知管でフラスコ内の硫化水素濃度を測定した。この測定結果に基づいて、以下の基準で、消臭性を評価した。
【００３７】
Ａ：消臭率８０％以上
Ｂ：消臭率２０％以上８０％未満
Ｃ：消臭率２０％未満
【００３８】
（２．３）跡残り
１０μＬの消臭剤（原液）をマイクロピペット（株式会社ニチリョー製、品番：NichipetEX NPX-100）ピペットマン（ギルソン社）でガラス板（松浪硝子工業株式会社、品番：Ｓ９２１３、大型スライドグラス）の上面に付着させた。このガラス板を、１０５℃に設定した恒温槽に入れて６０分間加熱した。その後、恒温槽からガラス板を取り出してその上面を観察した。この観察結果に基づいて、以下の基準で、跡残りを評価した。
【００３９】
Ａ：跡残りが透明
Ｂ：跡残りが半透明
Ｃ：跡残りが白い
【００４０】
【表１】
2019141417.tif 000002
【００４１】
実験１では、有効成分の組合せの違いによる効果を検証した。
【００４２】
表１から明らかなように、実施例１−２〜１−６では、溶け残り、消臭性及び跡残りの全ての点において良好であった。
【００４３】
これに対して、トレオニン類を含まない比較例１−１では、跡残りが発生した。またグリシンを含まない比較例１−７では、溶け残りが発生した。さらにグリシンもトレオニン類も含まない比較例１−８では、溶け残り、消臭性及び跡残りの全ての点において悪かった。
【００４４】
以上より、有効成分として、酸化亜鉛、グリシン及びトレオニン類の併用が効果的であることが分かった。
【００４５】
２．実験２
（１）消臭剤の調製
表２に示す割合で、酸化亜鉛、グリシン、トレオニン類（トレオニン）、両性界面活性剤（ラウリルベタイン）及び水性溶剤（イオン交換水）をガラス瓶に入れて配合し、この配合物を３０分間撹拌することによって、各実施例及び比較例の消臭剤を調製した。なお、両性界面活性剤（ラウリルベタイン）については、３６質量％ラウリルベタイン水溶液の濃度を調整して使用した。
【００４６】
（２）試験
（２．１）溶け残り、消臭性及び跡残り
実験１と同様に、溶け残り、消臭性及び跡残りの試験を行った。
【００４７】
（２．２）透明性
３０分間撹拌した後のガラス瓶中の消臭剤を観察した。この観察結果に基づいて、以下の基準で、透明性を評価した。
【００４８】
Ａ：無色透明
Ｂ：青白〜半透明
Ｃ：白濁
【００４９】
【表２】
2019141417.tif 000003
【００５０】
実験２では、両性界面活性剤を使用した場合の効果を検証した。
【００５１】
表２から明らかなように、各実施例及び比較例の対比から、両性界面活性剤を追加した場合でも、実験１と同様に、有効成分として、酸化亜鉛、グリシン及びトレオニン類の併用が効果的であることが分かった。
【００５２】
また実験１の各実施例と実験２の各実施例との対比から、両性界面活性剤を使用すると、溶け残りが概ね抑制されることが分かった。
【００５３】
さらに実施例２−２〜２−３．５の結果から、グリシンとトレオニン類との質量比が２：１〜１９：１７の範囲内であることが一層有効であることも分かった。すなわち、これらの実施例では、溶け残り、消臭性、跡残り及び透明性の全ての点において最良である。
【００５４】
３．実験３
（１）消臭剤の調製
表３に示す割合で、酸化亜鉛、グリシン、トレオニン類（トレオニン）、アラニン、サルコシン、フェニルアラニン、両性界面活性剤（ラウリルベタイン）及び水性溶剤（イオン交換水）をガラス瓶に入れて配合し、この配合物を３０分間撹拌することによって、各実施例及び比較例の消臭剤を調製した。なお、両性界面活性剤（ラウリルベタイン）については、３６質量％ラウリルベタイン水溶液の濃度を調整して使用した。
【００５５】
（２）試験
実験２と同様に、溶け残り、消臭性、跡残り及び透明性の試験を行った。
【００５６】
【表３】
2019141417.tif 000004
【００５７】
実験３では、有効成分中のアミノ酸が、グリシンだけの場合と、グリシン及び他のアミノ酸である場合との効果を検証した。他のアミノ酸は、具体的には、トレオニン類、アラニン、サルコシン及びフェニルアラニンである。
【００５８】
表３から明らかなように、各実施例及び比較例の対比から、グリシン及びトレオニン類の組合せが最良であることが分かった。
【００５９】
４．実験４
（１）消臭剤の調製
表４に示す割合で、酸化亜鉛、グリシン、トレオニン類（トレオニン）、両性界面活性剤（ラウリルベタイン）及び水性溶剤（イオン交換水）をガラス瓶に入れて配合し、この配合物を３０分間撹拌することによって、各実施例の消臭剤を調製した。なお、両性界面活性剤（ラウリルベタイン）については、３６質量％ラウリルベタイン水溶液の濃度を調整して使用した。
【００６０】
（２）試験
実験２と同様に、溶け残り、消臭性、跡残り及び透明性の試験を行った。
【００６１】
【表４】
2019141417.tif 000005
【００６２】
実験４では、両性界面活性剤の含有量の違いによる効果を検証した。
【００６３】
表４から明らかなように、各実施例から、両性界面活性剤の含有量は、０．０８質量％を超えて２２質量％未満の範囲内が好ましいことが分かった。